(57)【要約】      （修正有）【課題】生理排出物を吸収するためのパッドをショーツへ装着するためのホルダーに対し、パッドを容易に係止できるパッドを提供する。【解決手段】生理排出物を吸収するためのパッド１をホルダー５への係止のために、パッド１の身肌面の裏面長手方向端部にポケット２及び紐３を設けることにより、ホルダー５へのパッド１の係止を容易にすることができる。【選択図】図１
0003181152.tif 000002
【実用新案登録請求の範囲】
【請求項１】
生理排出物を吸収するためのパッドをショーツへの装着用ホルダーに係止するために、前記パッドの裏面の長手方向（臀部から臍部へ向かう方向）端部の一方にポケットを設けもう一方に紐状の係止部を設け、前記ホルダーへの係脱を自在にしたことを特徴とする生理用品。
【請求項２】
前記パッドに備えるポケット開口部上部にホルダーへの係止をするための紐状係止部を設け前記ホルダーへの係脱を自在にしたことを特徴とする生理用品。
【請求項３】
尿を吸収するためのパッドをショーツへの装着用ホルダーに係止するために、前記パッドの裏面の長手方向（臀部から臍部へ向かう方向）端部の一方にポケットを設けもう一方に紐状の係止部を設け、前記ホルダーへの係脱を自在にしたことを特徴とする尿漏れパッド。
【請求項４】
前記パッドに備えるポケット開口部上部にホルダーへの係止をするための紐状係止部を設け、前記ホルダーへの係脱を自在にしたことを特徴とする尿漏れパッド。
【考案の詳細な説明】
【技術分野】
【０００１】  本考案は生理及びおりもの時に経血等を吸収するために使用する、布製の生理用品及び尿漏れパッドに関するものである。
【背景技術】
【０００２】  生理時の経血等を受ける手段の一つとして、生理用布ナプキンがあるが、ショーツへの装着部分と生理時の経血等を受ける吸収部分とが一体となっている、いわゆる一体型及びショーツへの装着部分と生理時の経血等を受ける吸収部分が分離されているホルダー型が知られている。【０００３】  このうちホルダー型についてはショーツへの装着部分にパッドといわれる生理時の経血等を受ける吸収体を係止することになるが、その吸収体の一つとして以下のようなものが知られる。（例えば特許文献１を参照）【０００４】  この特許文献１に記載のパッドの長手方向（臀部から臍部へ向かう方向・以下同じ）の両端部分は袋状になっており、その袋状部分をショーツへの装着部分に被せることによりパッドを装着部分に係止するものである。
【先行技術文献】
【特許文献】
【０００５】
【特許文献１】特許第３８６７９７７号公報
【考案の概要】
【考案が解決しようとする課題】
【０００６】  確かにこの係止方法はパッドをホルダー部分に確実に係止することに対しては有効であるが、係止に手間取りもしくは手間取ることからくる装着の際の不手際により、パッドを便器内や床上に落としてしまう等の欠点も見られた。また、両端がポケット形状のため、パッドに対するホルダーの長さに制限も生じることになる。【０００７】  そこで本考案は特許文献１に見られる布ナプキンの欠点を補い、より交換し易いパッドを提供することを課題としている。
【課題を解決するための手段】
【０００８】  本考案は前記パッドの長手方向端部の一方に袋状のポケット、長手方向端部のもう一方に紐状のホルダー部分への係止部を備えることを特徴とする。【０００９】  一般的に布状の柔らかい材質のものを袋状の部分にきちんと入れ込むことは、軟度の関係により難しいことが知られている。しかし本考案は長手方向端部の一方は袋状となるものの、もう一方は紐状の形状をなしているため、かなり容易にパッドの係止作業が行えることになる。【００１０】  また特許文献１の形状では両端が袋状であるため、ホルダー部分に対するパッドの長手方向の大きさが限定されるものである。【００１１】  対して本考案では一方は袋状であるものの、もう一方は紐状の形状のためパッド部分の長さの制限が減り、当該パッドに対する専用のホルダーならずとも係止することができるという利点がある。
【考案の効果】
【００１２】  本考案によりパッドの交換作業が容易となり、なおかつその効果により誤って便器等にパッドを落下させてしまうことも防ぎ易くなる。
また専用品ならずとも、例えば手持ちのホルダーに対してもパッドを係止することが可能となる。
【図面の簡単な説明】
【００１３】
【図１】本考案の実施例であるパッド１をホルダー５に係止し、身肌面４（性器に当たる面・以下同じ）の反対側から見た図である。
【図２】パッド１を身肌面４の反対側より見た図である。
【図３】パッド１の断面図（側面図）である。
【図４】パッド１を身肌面４から見た図である。
【図５】本考案の実施例であるパッド１をホルダー５に係止し、身肌面４から見た図である。
【図６】本考案の実施例であるパッド１をホルダー５に係止し、身肌面４の反対側から見た図で、パッド１のポケット２の開口部入口部分に紐８を設けた、本考案第２の実施例を示した図である。
【考案を実施するための形態】
【実施例１】
【００１４】  次に本考案のパッドの実施形態の一例について図１乃至６を参照して説明する。
本考案パッド１はパッド１が経血等の生理時排出物を受けるための主に布で構成される身肌面４の裏面に、ショーツへの装着のためのホルダー５に被せるためのポケット２及び紐３とをパッド１の長手方向端部へ主として備えた構成とされている。【００１５】  ショーツへの装着のためのホルダー５に備えられた留め具・オス６及び留め具・メス７によりホルダー５はショーツへと係止される。
本構成を備えることにより、本考案パッド１で経血等を受け止め吸収し、そのパッド１が的確にショーツへ係止されることとなる。【００１６】  図２に示しているのはパッド１の身肌面４の裏面の図であるが、パッド１本体をショーツへの装着のためのホルダー５に被せるためのポケット２及び紐３とを備えている。【００１７】  図３はパッド１の断面図（側面図）であるが、パッド１本体をショーツへの装着のためのホルダー５に被せるためのポケット２及び紐３とを備えている。【００１８】  図４はパッド１が経血等の生理時排出物を受けるための身肌面４の図である。【００１９】  またパッド１をホルダー５に係止したものを身肌面４から見た図が図５であり、ホルダー５に備えられた留め具・オス６及び留め具・メス７によりホルダー５はショーツへと係止される。
【実施例２】
【００２０】  第２の実施例としてパッド１に備えるポケット２の開口部入り口部分上部にホルダー５への係止をするための紐状係止部８を設け、長手方向の寸法制限を受けにくく、なお且つホルダーへの脱着を容易とする構成にもできる。
【産業上の利用可能性】
【００２１】  本考案は、広く普及している所謂「生理用紙ナプキン」では十分な満足を得ることができない者に対して提供されるべき製品である。また、上記では生理用ナプキンとしての使い方を前提に説明を加えているが、例えば、同じものを尿漏れパッドとして利用することもできる。即ち、生理時でなくとも同じ使い方をすることで、多少の尿漏れを吸収し、漏れた尿の衣服への浸透を防止するといった使い方も可能である。
【符号の説明】
【００２２】  １…パッド
２…ポケット
３…紐
４…身肌面
５…ホルダー
６…留め具（オス）
７…留め具（メス）
８…紐
【図１】
0003181152.tif 000003
【図２】
0003181152.tif 000004
【図３】
0003181152.tif 000005
【図４】
0003181152.tif 000006
【図５】
0003181152.tif 000007
【図６】
0003181152.tif 000008
【手続補正書】
【提出日】平成24年10月31日(2012.10.31)
【手続補正１】
【補正対象書類名】実用新案登録請求の範囲
【補正対象項目名】全文
【補正方法】変更
【補正の内容】
【実用新案登録請求の範囲】
【請求項１】
生理排出物を吸収するための生理用品（パッド）をショーツへの装着用ホルダーに係止するために、前記パッドの裏面の長手方向（臀部から臍部へ向かう方向）端部の一方にポケットを設けもう一方に紐状の係止部を設け、前記ホルダーへの係脱を自在にしたことを特徴とする生理用品。
【請求項２】
生理排出物を吸収するための生理用品（パッド）に備えるポケット開口部上部に、ショーツへの装着用ホルダーへの係止をするための紐状係止部を設け前記ホルダーへの係脱を自在にしたことを特徴とする請求項１に記載の生理用品。
【請求項３】
尿を吸収するための失禁用品（パッド）をショーツへの装着用ホルダーに係止するために、前記パッドの裏面の長手方向（臀部から臍部へ向かう方向）端部の一方にポケットを設けもう一方に紐状の係止部を設け、前記ホルダーへの係脱を自在にしたことを特徴とする尿漏れパッド。
【請求項４】
尿を吸収するための失禁用品（パッド）に備えるポケット開口部上部にショーツへの装着用ホルダーへの係止をするための紐状係止部を設け、前記ホルダーへの係脱を自在にしたことを特徴とする請求項３に記載の尿漏れパッド。